(57)【要約】【課題】スペーサーの挿入作業の作業効率を向上させることにある。【解決手段】既設枠材の内側に設けられる新設枠材と、長手方向が前記新設枠材から前記既設枠材に向かう方向に沿うように、前記新設枠材に取り付けられる固定具と、前記固定具を貫通させるための切り欠きを備え、前記新設枠材と前記既設枠材との隙間に挿入されるスペーサーと、を有し、前記スペーサーは、前記固定具を引っかけるためのフック部を、前記切り欠きの開口部に備えており、前記固定具が前記フック部に引っかかった状態で前記スペーサーが前記固定具を中心に回転する前記スペーサーの回転動作を規制することにより、前記スペーサーの前記状態を維持させる規制部が、前記隙間に設けられていることを特徴とする。【選択図】図５
2015145570.tif 000002
【特許請求の範囲】
【請求項１】
既設枠材の内側に設けられる新設枠材と、
長手方向が前記新設枠材から前記既設枠材に向かう方向に沿うように、前記新設枠材に取り付けられる固定具と、
前記固定具を貫通させるための切り欠きを備え、前記新設枠材と前記既設枠材との隙間に挿入されるスペーサーと、
を有し、
前記スペーサーは、前記固定具を引っかけるためのフック部を、前記切り欠きの開口部に備えており、
前記固定具が前記フック部に引っかかった状態で前記スペーサーが前記固定具を中心に回転する前記スペーサーの回転動作を規制することにより、前記スペーサーの前記状態を維持させる規制部が、前記隙間に設けられていることを特徴とする建具ユニット。
【請求項２】
請求項１に記載の建具ユニットであって、
前記既設枠材に取り付けられる新設補助枠材を有し、
前記新設枠材と前記新設補助枠材との間に隙間が設けられた状態で、前記新設枠材は、前記新設補助枠材に対し、前記固定具で固定されており、
前記スペーサーは、前記隙間に挿入されることを特徴とする建具ユニット。
【請求項３】
請求項１又は請求項２に記載の建具ユニットであって、
前記規制部は、
前記新設枠材から前記既設枠材の方向へ突出し、前記新設枠材に気密材を固定するための気密材固定部であり、
前記スペーサーと接触することにより前記回転動作を規制することを特徴とする建具ユニット。
【請求項４】
請求項１乃至請求項３のいずれかに記載の建具ユニットであって、
前記開口部の開口幅は、前記固定具の直径よりも大きいことを特徴とする建具ユニット。
【請求項５】
請求項１乃至請求項４のいずれかに記載の建具ユニットであって、
前記フック部は、前記切り欠きの内部へ向かって突き出た突起部を有し、
前記回転動作が前記規制部により規制されて、前記固定具が前記フック部に引っかかった状態が維持されている際に、前記突起部の先端は、前記固定具の上端よりも下方に位置することを特徴とする建具ユニット。
【請求項６】
請求項１乃至請求項５のいずれかに記載の建具ユニットであって、
前記回転動作が前記規制部により規制されて、前記固定具が前記フック部に引っかかった状態が維持されている際に、前記スペーサーの一部が前記新設枠材の見付け面よりも見込み方向に突出することを特徴とする建具ユニット。
【請求項７】
請求項１乃至請求項６のいずれかに記載の建具ユニットであって、
前記スペーサーは、四辺を有する方形状の薄板であり、かつ、前記切り欠きとして第一切り欠き及び第二切り欠きを備え、
前記第一切り欠きの前記開口部である第一開口部と前記第二切り欠きの前記開口部である第二開口部は、前記四辺のうちの同一の第一辺に設けられており、
前記第一切り欠きの長手方向と前記第二切り欠きの長手方向の双方は、前記第一辺と直交する第二辺の第二辺方向に沿っており、
前記第二開口部から遠い方の前記第一開口部の端と、前記第一開口部から遠い方の前記第二開口部の端とに、前記フック部がそれぞれ備えられていることを特徴とする建具ユニット。
【請求項８】
請求項１乃至請求項７のいずれかに記載の建具ユニットであって、
前記スペーサーは、前記切り欠きとは異なる他の切り欠きを備え、
該他の切り欠きの開口部には、固定具を引っかけるためのフック部が備えられていないことを特徴とする建具ユニット。
【請求項９】
請求項８に記載の建具ユニットであって、
前記スペーサーは、四辺を有する方形状の薄板であり、
前記他の切り欠きの長手方向は、前記四辺のうちの第一辺の第一辺方向に沿っている一方で、前記切り欠きの長手方向は、前記第一辺と直交する第二辺の第二辺方向に沿っていることを特徴とする建具ユニット。
【請求項１０】
請求項１乃至請求項７のいずれかに記載の建具ユニットであって、
前記スペーサーは、四辺を有する方形状の薄板であり、かつ、前記切り欠きとは異なる他の切り欠きを備え、
該他の切り欠きの長手方向は、前記四辺のうちの第一辺の第一辺方向に沿っている一方で、前記切り欠きの長手方向は、前記第一辺と直交する第二辺の第二辺方向に沿っており、
前記他の切り欠きの開口部には、固定具を引っかけるためのフック部が備えられていることを特徴とする建具ユニット。
【請求項１１】
建物に形成された開口の内側に設けられる枠材と、
長手方向が前記枠材から前記建物側に向かう方向に沿うように、前記枠材に取り付けられる固定具と、
前記固定具を貫通させるための切り欠きを備え、前記開口の内面と前記枠材との隙間に挿入されるスペーサーと、
を有し、
前記スペーサーは、前記固定具を引っかけるためのフック部を、前記切り欠きの開口部に備えており、
前記固定具が前記フック部に引っかかった状態で前記スペーサーが前記固定具を中心に回転する前記スペーサーの回転動作を規制することにより、前記スペーサーの前記状態を維持させる規制部が、前記隙間に設けられていることを特徴とする建具ユニット。
【発明の詳細な説明】
【技術分野】
【０００１】
本発明は、建具ユニットに関する。特に、既設枠材の内側に設けられる新設枠材と、新設枠材と既設枠材との間に挿入されるスペーサーと、を有する建具ユニットに関する。
【背景技術】
【０００２】
既設枠材の内側に設けられる新設枠材を備え、既設枠材と新設枠材との間に挿入されるスペーサーを備えた改装用の建具ユニットは、特許文献１のように既によく知られている。また、特許文献２には、長手方向が枠材から建物の開口部の内面に向かう方向に沿うように、枠材に取り付けられるネジと、ネジを貫通させるための切り欠きを備え枠材と建物の開口部の内面との間に挿入されるスペーサーと、を有している。
【先行技術文献】
【特許文献】
【０００３】
【特許文献１】特開平７−１５８３４７号公報
【特許文献２】特開２００３−３３６４４９号公報
【発明の概要】
【発明が解決しようとする課題】
【０００４】
ところで、作業者が、スペーサーの挿入作業を行う際に、スペーサーを落下させてしまう場合がある。かかる際には、当該挿入作業の作業効率が低下することとなる。
【０００５】
本発明は、かかる課題に鑑みてなされたものであり、その目的とするところは、スペーサーの挿入作業の作業効率を向上させることにある。
【課題を解決するための手段】
【０００６】
かかる目的を達成するために本発明の建具ユニットは、既設枠材の内側に設けられる新設枠材と、
長手方向が前記新設枠材から前記既設枠材に向かう方向に沿うように、前記新設枠材に取り付けられる固定具と、
前記固定具を貫通させるための切り欠きを備え、前記新設枠材と前記既設枠材との隙間に挿入されるスペーサーと、
を有し、
前記スペーサーは、前記固定具を引っかけるためのフック部を、前記切り欠きの開口部に備えており、
前記固定具が前記フック部に引っかかった状態で前記スペーサーが前記固定具を中心に回転する前記スペーサーの回転動作を規制することにより、前記スペーサーの前記状態を維持させる規制部が、前記隙間に設けられていることを特徴とする建具ユニットである。
【０００７】
このような建具ユニットによれば、作業者が、スペーサーの挿入作業を行う際に、スペーサーを落下させてしまうことが適切に回避されることとなる。そのため、当該挿入作業の作業効率が向上する。
【０００８】
かかる建具ユニットであって、前記既設枠材に取り付けられる新設補助枠材を有し、
前記新設枠材と前記新設補助枠材との間に隙間が設けられた状態で、前記新設枠材は、前記新設補助枠材に対し、前記固定具で固定されており、
前記スペーサーは、前記隙間に挿入されることが望ましい。
【０００９】
このような建具ユニットによれば、スペーサーをスムーズに挿入できる効果が、前述した効果（すなわち、スペーサーを落下させてしまうことが適切に回避される効果）に加えて、奏されることとなる。そして、双方の相乗効果により、スペーサーの挿入作業の作業効率がより向上する。
【００１０】
かかる建具ユニットであって、前記規制部は、
前記新設枠材から前記既設枠材の方向へ突出し、前記新設枠材に気密材を固定するための気密材固定部であり、
前記スペーサーと接触することにより前記回転動作を規制することが望ましい。
【００１１】
このような建具ユニットによれば、気密材固定部に気密材固定機能と規制機能の双方を持たせることにより、規制用の専用部材を省略することが可能となる。
【００１２】
かかる建具ユニットであって、前記開口部の開口幅は、前記固定具の直径よりも大きいことが望ましい。
【００１３】
このような建具ユニットによれば、スペーサーの挿入作業を行う際に、スペーサーが落下し易い状況にある。したがって、上述した効果、すなわち、スペーサーを落下させてしまうことが適切に回避され挿入作業の作業効率が向上する効果が、より有効に発揮されることとなる。
【００１４】
かかる建具ユニットであって、前記フック部は、前記切り欠きの内部へ向かって突き出た突起部を有し、
前記回転動作が前記規制部により規制されて、前記固定具が前記フック部に引っかかった状態が維持されている際に、前記突起部の先端は、前記固定具の上端よりも下方に位置することが望ましい。
【００１５】
このような建具ユニットによれば、スペーサーのフック部への引っかかり状態が確実なものとなり、スペーサーの落下がより適切に回避されることとなる。
【００１６】
かかる建具ユニットであって、前記回転動作が前記規制部により規制されて、前記固定具が前記フック部に引っかかった状態が維持されている際に、前記スペーサーの一部が前記新設枠材の見付け面よりも見込み方向に突出することが望ましい。
【００１７】
このような建具ユニットによれば、作業者が、露出した部分を容易に掴むことができるので、スペーサーの位置を正規位置へ簡便に位置させることが可能となる。したがって、スペーサーの挿入作業の作業効率がより向上する。
【００１８】
かかる建具ユニットであって、前記スペーサーは、四辺を有する方形状の薄板であり、かつ、前記切り欠きとして第一切り欠き及び第二切り欠きを備え、
前記第一切り欠きの前記開口部である第一開口部と前記第二切り欠きの前記開口部である第二開口部は、前記四辺のうちの同一の第一辺に設けられており、
前記第一切り欠きの長手方向と前記第二切り欠きの長手方向の双方は、前記第一辺と直交する第二辺の第二辺方向に沿っており、
前記第二開口部から遠い方の前記第一開口部の端と、前記第一開口部から遠い方の前記第二開口部の端とに、前記フック部がそれぞれ備えられていることが望ましい。
【００１９】
このような建具ユニットによれば、作業者が、スペーサーを掴んで隙間に近づけた際に、逆であることに気付き、スペーサーを反転させるためにスペーサーを持ち替えなければならない状況が生じなくなる。したがって、スペーサーの挿入作業の作業効率がより向上する。
【００２０】
かかる建具ユニットであって、前記スペーサーは、前記切り欠きとは異なる他の切り欠きを備え、
該他の切り欠きの開口部には、固定具を引っかけるためのフック部が備えられていないことが望ましい。
【００２１】
このような建具ユニットによれば、スペーサーを、フック部が必要ない他の枠に対しても用いることができる。すなわち、一つのスペーサーを、フック部が必要な枠とフック部が必要ない枠の双方に用いることができる。
【００２２】
かかる建具ユニットであって、前記スペーサーは、四辺を有する方形状の薄板であり、
前記他の切り欠きの長手方向は、前記四辺のうちの第一辺の第一辺方向に沿っている一方で、前記切り欠きの長手方向は、前記第一辺と直交する第二辺の第二辺方向に沿っていることが望ましい。
【００２３】
このような建具ユニットによれば、一つのスペーサーを幅が異なる複数種類の枠に対して用いることができる。
【００２４】
かかる建具ユニットであって、前記スペーサーは、四辺を有する方形状の薄板であり、かつ、前記切り欠きとは異なる他の切り欠きを備え、
該他の切り欠きの長手方向は、前記四辺のうちの第一辺の第一辺方向に沿っている一方で、前記切り欠きの長手方向は、前記第一辺と直交する第二辺の第二辺方向に沿っており、
前記他の切り欠きの開口部には、固定具を引っかけるためのフック部が備えられていることが望ましい。
【００２５】
このような建具ユニットによれば、一つのスペーサーを、フック部が必要であり、かつ、幅が異なる複数種類の枠に対して、用いることができる。
【００２６】
また、本発明の建具ユニットは、建物に形成された開口の内側に設けられる枠材と、
長手方向が前記枠材から前記建物側に向かう方向に沿うように、前記枠材に取り付けられる固定具と、
前記固定具を貫通させるための切り欠きを備え、前記開口の内面と前記枠材との隙間に挿入されるスペーサーと、
を有し、
前記スペーサーは、前記固定具を引っかけるためのフック部を、前記切り欠きの開口部に備えており、
前記固定具が前記フック部に引っかかった状態で前記スペーサーが前記固定具を中心に回転する前記スペーサーの回転動作を規制することにより、前記スペーサーの前記状態を維持させる規制部が、前記隙間に設けられていることを特徴とする建具ユニットである。
【００２７】
このような建具ユニットによれば、作業者が、スペーサーの挿入作業を行う際に、スペーサーを落下させてしまうことが適切に回避されることとなる。そのため、当該挿入作業の作業効率が向上する。
【発明の効果】
【００２８】
本発明によれば、スペーサーの挿入作業の作業効率を向上させることが可能となる。
【図面の簡単な説明】
【００２９】
【図１】改装用新設建具ユニット１０に係る新設縦枠２２の周辺構成を説明するための水平断面図である。
【図２】改装用新設建具ユニット１０に係る新設上枠２６の周辺構成を説明するための縦断面図である。
【図３】スペーサー５０を示した図である。
【図４】スペーサー５０が第一位置に位置するときのスペーサー５０の様子を表した図である。
【図５】スペーサー５０が第二位置に位置するときのスペーサー５０の様子を表した図である。
【図６】変形例に係るスペーサー５０を示した図である。
【図７】一枚ずつ剥がして使用する形態の複数枚セットのスペーサー５０を示した図である。
【発明を実施するための形態】
【００３０】
＝＝＝本実施の形態に係る改装用新設建具ユニット１０について＝＝＝
本実施の形態に係る改装用新設建具ユニット１０（建具ユニットに相当）について、図１及び図２を用いて説明する。図１は、改装用新設建具ユニット１０に係る新設縦枠２２の周辺構成を説明するための水平断面図である。図２は、改装用新設建具ユニット１０に係る新設上枠２６の周辺構成を説明するための縦断面図である。
【００３１】
なお、以下の説明においては、建物等に取り付けられた状態の改装用新設建具ユニット１０を室内側から見たときに、上下となる方向を上下方向、左右となる方向を左右方向、室内外方向である奥行き方向を見込み方向として示す。
【００３２】
改装用新設建具ユニット１０は、既設の引違い障子を外して新設の引違い障子を導入する際に使用されるユニットである。かかる際には、既設枠体７０に被せるように新設枠体２０が設置され、さらに新設枠体２０に対して新設の引違い障子（単に、新設障子９０と呼ぶ）が取り付けられる。
【００３３】
改装用新設建具ユニット１０は、新設枠体２０と、新設補助枠３０と、スペーサー５０と、カバー材６８と、を有している。
【００３４】
新設枠体２０は、既設枠体７０の内側に設けられる枠体である。すなわち、新設枠体２０は、既設枠体７０に被さるように設けられる枠体である。
【００３５】
ここで、既設枠体７０は、既設の引違い障子用のアルミニウム製枠体であり、左右の既設縦枠７２（図１参照）と既設上枠７６（図２参照）と既設下枠（不図示）を備えている。そして、既設枠体７０は、これら４つの枠体が矩形状に枠組みされて、全体として開口を形成している。既設縦枠７２は、上下方向に延びた長尺状の部材であり、既設上枠７６と既設下枠は、左右方向に延びた長尺状の部材である。
【００３６】
一方、新設枠体２０は、新設の引違い障子用のアルミニウム製枠体であり、左右の新設縦枠２２（図１参照）と新設上枠２６（図２参照）と新設下枠（不図示）を備えている。そして、新設枠体２０は、これら４つの枠体が矩形状に枠組みされて、前述した開口内に収容されている。新設縦枠２２は、上下方向に延びた長尺状の部材であり、新設上枠２６と新設下枠は、左右方向に延びた長尺状の部材である。
【００３７】
そのため、図１に示すように、新設縦枠２２は、既設縦枠７２の左右方向における内側に設けられ、図２に示すように、新設上枠２６は、既設上枠７６の上下方向における内側（換言すれば、下側）に設けられている。なお、既設縦枠７２は、建物の躯体８０に対しアンカー８２を介して固定され（図１参照）、同様に、既設上枠７６も、当該躯体８０に対しアンカー８２を介して固定されている（図２参照）。
【００３８】
また、室外側において、新設縦枠２２と既設縦枠７２との間には、図１に示すように、気密材９２が設けられている。本実施の形態において、この気密材９２は、新設縦枠２２の方に取り付けられている。より具体的には、新設縦枠２２には、当該新設縦枠２２の上端部から下端部に亘って上下方向に延びた気密材固定部２２ａが設けられ、この気密材固定部２２ａに気密材９２が固定されている。なお、気密材固定部２２ａは、見込み方向において中央よりも室外側に位置しており、新設縦枠２２から既設縦枠７２の方向へ若干突出している。
【００３９】
また、同様に、室外側において、新設上枠２６と既設上枠７６との間には、図２に示すように、気密材９２が設けられている。本実施の形態において、この気密材９２は、新設上枠２６の方に取り付けられている。より具体的には、新設上枠２６には、当該新設上枠２６の左端部から右端部に亘って左右方向に延びた気密材固定部２６ａが設けられ、この気密材固定部２６ａに気密材９２が固定されている。
【００４０】
新設補助枠３０は、新設枠体２０を既設枠体７０に取り付けるためのものである。つまり、新設枠体２０は、新設補助枠３０を介して既設枠体７０に取り付けられる。この新設補助枠３０は、アルミニウム製の枠体である。
【００４１】
なお、新設枠体２０を既設枠体７０に取り付ける際に、新設補助枠３０を介在させる理由は以下の通りである。すなわち、後述するように、新設枠体２０と既設枠体７０（新設補助枠３０）との間には、スペーサー５０が設けられるが、仮に、新設補助枠３０を導入することなく、新設枠体２０と既設枠体７０との間にスペーサー５０を設けた場合には、古い枠体である既設枠体７０の平滑度合いに難がある接触面（例えば、凸凹な面）にスペーサー５０が接触する可能性がある。これに対し、新設補助枠３０を設けて、新設枠体２０と新設補助枠３０との間にスペーサー５０を設ければ、新設補助枠３０の平滑な接触面にスペーサー５０を接触させることができるからである。
【００４２】
図１に示すように、新設縦枠２２用の新設補助枠３０（以下、縦枠用補助枠３２と呼ぶ）は、左右方向において、新設縦枠２２と既設縦枠７２の間に位置している。そして、縦枠用補助枠３２は、既設縦枠７２に第一ビス４０で固定されている。第一ビス４０は、その長手方向が縦枠用補助枠３２から既設縦枠７２に向かう方向（すなわち、左右方向）に沿うように、縦枠用補助枠３２と既設縦枠７２に取り付けられている。なお、第一ビス４０は、上下方向において等間隔に、複数個（例えば、６個）備えられている。
【００４３】
そして、新設縦枠２２と縦枠用補助枠３２との間に隙間が設けられた状態で、新設縦枠２２は、縦枠用補助枠３２に対し、固定具の一例としての第二ビス４２で固定されている（取り付けられている）。第二ビス４２は、その長手方向が新設縦枠２２から既設縦枠７２（縦枠用補助枠３２）に向かう方向（すなわち、左右方向）に沿うように、新設縦枠２２と縦枠用補助枠３２に取り付けられている。なお、第二ビス４２も、上下方向において等間隔に、複数個（例えば、６個）備えられている。
【００４４】
また、図２に示すように、新設上枠２６用の新設補助枠３０（以下、上枠用補助枠３６と呼ぶ）は、上下方向において、新設上枠２６と既設上枠７６の間に位置している。そして、上枠用補助枠３６は、既設上枠７６に第一ビス４０で固定されている（取り付けられている）。なお、第一ビス４０は、左右方向において等間隔に、複数個（例えば、６個）備えられている。
【００４５】
そして、新設上枠２６と上枠用補助枠３６との間に隙間が設けられた状態で、新設上枠２６は、上枠用補助枠３６に対し、第二ビス４２で固定されている。なお、第二ビス４２も、左右方向において等間隔に、複数個（例えば、６個）備えられている。
【００４６】
スペーサー５０は、新設枠体２０と既設枠体７０との間に一枚又は複数枚挿入される樹脂製の薄板であるである。本実施の形態において、スペーサー５０は、新設枠体２０と新設補助枠３０との間に形成された隙間に挿入される。
【００４７】
スペーサー５０の役割は、以下の通りである。すなわち、既設枠体７０は古い枠体であるため、変形や寸法のずれ等が既設枠体７０に生じている可能性がある。そのため、スペーサー５０を挿入することなく、既設枠体７０に対して新設枠体２０を設けると、新設枠体２０が所望の位置に設置されない可能性がある（例えば、曲がって取り付けられる可能性がある）。そして、スペーサー５０を用いることとすれば、スペーサー５０の使用有無や使用枚数を加減することにより、新設枠体２０が所望の位置に設置されるように調整することが可能となる。
【００４８】
図１に示すように、スペーサー５０は、新設縦枠２２と既設縦枠７２との間（具体的には、新設縦枠２２と縦枠用補助枠３２との間に形成された隙間）に、スペーサー５０の面外方向（換言すれば、法線方向）が左右方向に沿うように挿入される。また、詳細については後述するが、スペーサー５０には、切り欠かれた箇所が存在し、前述した第二ビス４２が当該箇所を貫通した状態でスペーサー５０が設置されることとなる（図４参照）。そのため、スペーサー５０は、第二ビス４２の各々に対応して設けられることとなり、上下方向において等間隔に、複数箇所（例えば、６箇所）備えられる。
【００４９】
また、図２に示すように、スペーサー５０は、新設上枠２６と既設上枠７６との間（具体的には、新設上枠２６と上枠用補助枠３６との間に形成された隙間）に、スペーサー５０の面外方向（換言すれば、法線方向）が上下方向に沿うように挿入される。また、詳細については後述するが、スペーサー５０には、切り欠かれた箇所が存在し、前述した第二ビス４２が当該箇所を貫通した状態でスペーサー５０が設置されることとなる。そのため、スペーサー５０は、第二ビス４２の各々に対応して設けられることとなり、左右方向において等間隔に、複数箇所（例えば、６箇所）備えられる。
【００５０】
なお、スペーサー５０については、後にさらに詳しく述べる。
【００５１】
カバー材６８は、室内側において、新設枠体２０と既設枠体７０との間の隙間をカバーする部材である。そのため、カバー材６８は、スペーサー５０等を室内側から見えなくする役割を果たす。このカバー材６８は、見込み方向において新設枠体２０や既設枠体７０よりも室内側に位置し、前記隙間を覆っている。
【００５２】
図１に示すように、カバー材６８は、新設縦枠２２に固定され、新設縦枠２２と既設縦枠７２との間の隙間を覆うように、新設縦枠２２から既設縦枠７２に亘って設けられている。なお、カバー材６８と既設縦枠７２との間には、気密材９２が設けられている。
【００５３】
また、図２に示すように、カバー材６８は、新設上枠２６に固定され、新設上枠２６と既設上枠７６との間の隙間を覆うように、新設上枠２６から既設上枠７６に亘って設けられている。なお、カバー材６８と既設上枠７６との間には、気密材９２が設けられている。
【００５４】
このように構成された改装用新設建具ユニット１０は、以下のような手順で施工される。
【００５５】
作業者は、先ず、既設枠体７０に、新設補助枠３０を、第一ビス４０を用いて固定する。
【００５６】
次に、作業者は、新設補助枠３０が取り付けられた既設枠体７０の内側に新設枠体２０を入れ込み、新設枠体２０を新設補助枠３０に対し第二ビス４２で仮止めすることにより、新設枠体２０を仮設置する。
【００５７】
次に、作業者は、新設枠体２０が所望の位置に位置するように、新設枠体２０の既設枠体７０に対する相対位置を、スペーサー５０を用いて調整する。この際に、作業者は、室内側から、スペーサー５０を、新設枠体２０と既設枠体７０との間（新設枠体２０と新設補助枠３０との間の隙間）に挿入する。
【００５８】
そして、作業者は、新設枠体２０が所望の位置に位置すると判断した際に、スペーサー５０の挿入作業を終了し、第二ビス４２を本止めすることにより新設枠体２０を本設置する。
【００５９】
最後に、作業者は、カバー材６８を新設枠体２０（新設縦枠２２、新設上枠２６）に固定する。
【００６０】
＝＝＝本実施の形態に係るスペーサー５０について＝＝＝
次に、本実施の形態に係るスペーサー５０について、図３乃至図５を用いて、さらに詳しく説明する。図３は、スペーサー５０を示した図である。図４及び図５については、後述する。
【００６１】
スペーサー５０は、四辺（二つの長辺及び二つの短辺）を有する長方形状の部材である。なお、スペーサー５０には、切り欠かれた箇所が存在するため、当然のことながら厳密な長方形状を有しているわけではない。つまり、「長方形状」とは、厳密な長方形を意味するものではない。また、以下の説明では、四辺を、第一短辺５０ａ、第二短辺５０ｂ、第一長辺５０ｃ、第二長辺５０ｄとする（図３参照）。なお、本実施の形態ではスペーサー５０を長方形状としたが、正方形状や台形状など、方形状であれば構わない。
【００６２】
本実施の形態に係るスペーサー５０には、前記切り欠かれた箇所が三箇所存在する。なお、便宜上、各々を、第一切り欠き５２（切り欠きに相当）、第二切り欠き５４（切り欠きに相当）、第三切り欠き５６（切り欠きとは異なる他の切り欠きに相当）とする（図３参照）。
【００６３】
第一切り欠き５２は、その長手方向が長辺方向（第一辺と直交する第二辺の第二辺方向に相当）に沿うように、スペーサー５０に設けられている。そして、第一切り欠き５２の長手方向における一端は、短辺まで達して開口部（第一開口部５２ａと呼ぶ）となっており、一方で、他端は、短辺まで達しておらず、行き止まり部（第一行き止まり部５２ｂと呼ぶ）となっている。すなわち、第一開口部５２ａは、四辺のうちの第一短辺５０ａ（第一辺に相当）に設けられている。なお、第一開口部５２ａの開口幅は、第二ビス４２の直径よりも大きくなっている（図４及び図５参照）。
【００６４】
また、第一切り欠き５２は、短辺方向（第一辺方向に相当）において、短辺の中央ではなく中央よりも外側（第一長辺５０ｃ側）に設けられている。なお、第一行き止まり部５２ｂは、長辺方向において、長辺の略中央に位置している。
【００６５】
第一切り欠き５２の役割は、以下の通りである。すなわち、スペーサー５０は、前述したとおり、第二ビス４２の各々に対応して設けられるが、スペーサー５０も第二ビス４２も新設縦枠２２と縦枠用補助枠３２との間に備えられ、かつ、第二ビス４２の長手方向とスペーサー５０の面外方向がいずれも左右方向に沿うこととなる。そのため、スペーサー５０には、第二ビス４２を通す（貫通させる）ための空間が必要となり、第一切り欠き５２はこの空間の役割を果たすこととなる。
【００６６】
図４は、スペーサー５０が新設縦枠２２と縦枠用補助枠３２の間に挿入された際のスペーサー５０の様子を示した図である。図４には、スペーサー５０と第二ビス４２と新設縦枠２２が表され、それらの位置関係が示されている。その一方で、縦枠用補助枠３２の記載は省略している。
【００６７】
図４に示すように、挿入されたスペーサー５０は、その長辺方向（第二辺方向）が左右方向に、その短辺方向（第一辺方向）が上下方向に沿うような位置に位置している。また、第一開口部５２ａが設けられた第一短辺５０ａは、三点（短辺方向における第一短辺５０ａの両端部と中央部）で、前述した気密材固定部２２ａに接触している。
【００６８】
そして、第二ビス４２は、第一切り欠き５２の内部に位置し、第一切り欠き５２を前記左右方向（図４において紙面を貫く方向）に貫通している。
【００６９】
また、第一切り欠き５２（具体的には、第一切り欠き５２の上縁部５２ｃ）は、第二ビス４２によって支持される被支持部の役割を果たす。すなわち、スペーサー５０は、上縁部５２ｃが第二ビス４２によって支持されることにより、上記位置に留まっている。
【００７０】
なお、第二ビス４２を通す（貫通させる）ための空間を、穴とせずに上記のように開口部を備える切り欠きとしたのは、第二ビス４２が既に取り付けられている状態でスペーサー５０を挿入することができるようにするためである。つまり、作業者がスペーサー５０を挿入する際には、作業者は、室内側にて作業を行い、第一切り欠き５２の第一開口部５２ａが第一行き止まり部５２ｂよりも先行して新設縦枠２２と縦枠用補助枠３２との間に入り込むように、スペーサー５０を挿入する。そして、スペーサー５０の挿入中には、第二ビス４２が第一開口部５２ａを通過した後に、第一切り欠き５２の内部に位置し、作業者が、第一短辺５０ａが気密材固定部２２ａに接触するまで、スペーサー５０を押し込むと、スペーサー５０は、図４に示した位置（以下、当該位置を第一位置とも呼ぶ）に位置することとなる。
【００７１】
ところで、作業者が、スペーサー５０の挿入作業を行う際に、スペーサー５０の押し込みが不十分であると（つまり、第一短辺５０ａが気密材固定部２２ａに到達するまで押し込まないと）、作業者がスペーサー５０から手を離したときに、スペーサー５０が回転しながら室内側かつ下側へと移動してしまう場合がある。そして、かかる際には、第二ビス４２が、第一切り欠き５２内部を相対移動して第一開口部５２ａに至り、当該第一開口部５２ａに備えられた後述するフック部（第一フック部５３と呼ぶ）に引っかかって、スペーサー５０が、図５に示した位置（以下、当該位置を第二位置とも呼ぶ）に位置することとなる。
【００７２】
第一フック部５３は、第二ビス４２を引っかけるためのものであり、第一切り欠き５２の内部へ突き出た突起部５３ａを有している。この第一フック部５３は、図３に示すように、第一切り欠き５２の第一開口部５２ａに備えられている。より具体的には、第一フック部５３は、第一開口部５２ａの二つの端、すなわち、第一短辺５０ａの端部寄りの端５２ｄ及び第一短辺５０ａの中央寄りの端５２ｅ、のうちの前者の端に設けられている。
【００７３】
図５に示すように、回転移動後の（第二位置の）スペーサー５０においては、その長辺方向（第二辺方向）が左右方向に沿っておらず、当該スペーサー５０は、第一位置のスペーサー５０（すなわち、図４に示したスペーサー５０）とは異なり、傾いた状態となっている。そして、第二ビス４２は、第一フック部５３に引っかかった状態となっている。
【００７４】
また、第二位置のスペーサー５０は、気密材固定部２２ａに接触部５０ｅにて接触しており、当該気密材固定部２２ａは、スペーサー５０の回転動作、すなわち、第二ビス４２が第一フック部５３に引っかかった状態でスペーサー５０が第二ビス４２を中心に回転する回転動作、を規制している（つまり、スペーサー５０には自重の重力に起因した回転力がかかっているが、実際の回転は気密材固定部２２ａにより止められている）。そして、気密材固定部２２ａのこのような規制作用により、スペーサー５０が第一フック部５３に引っかかった状態が維持されている。
【００７５】
つまり、スペーサー５０の上記回転動作を規制することによりスペーサー５０の前記状態（すなわち、引っかかった状態）を維持させる規制部が新設縦枠２２に設けられており、本実施の形態においては、気密材固定部２２ａが、スペーサー５０と接触することにより、この規制部の役割を担っている。
【００７６】
そして、このような第一フック部５３と規制部が設けられることにより、作業者が、スペーサー５０の挿入作業を行う際に、スペーサー５０を落下させてしまうことが適切に回避されることとなる。そのため、当該挿入作業の作業効率が向上するというメリットが生ずる。
【００７７】
なお、本実施の形態においては、前述したとおり、第一開口部５２ａの開口幅が、第二ビス４２の直径よりも大きくなっているため、スペーサー５０の挿入作業を行う際に、スペーサー５０が落下し易い状況にある。したがって、本実施の形態においては、上述した効果、すなわち、スペーサー５０を落下させてしまうことが適切に回避され挿入作業の作業効率が向上する効果がより有効に発揮されることとなる。
【００７８】
また、本実施の形態においては、スペーサー５０の前述した第一短辺５０ａと二つの長辺のうちのより下側に位置する長辺（すなわち、第二長辺５０ｄ）との境界部に位置する頂点が、スペーサー５０が気密材固定部２２ａに接触する接触部５０ｅとなっている。
【００７９】
また、前記回転動作が規制部により規制されて、第二ビス４２が第一フック部５３に引っかかった状態が維持されている際に（すなわち、図５に示すように、スペーサー５０が第二位置に位置する際に）、前記突起部５３ａの先端５３ｂは、第二ビス４２の上端４２ａよりも下方に位置する。
【００８０】
そのため、スペーサー５０の第一フック部５３への引っかかり状態が確実なものとなり、スペーサー５０の落下がより適切に回避されることとなる。なお、当該先端５３ｂが第二ビス４２の中心４２ｂよりも下方に位置していれば、当該引っかかり状態がさらに確実なものとなり、スペーサー５０の落下がより一層適切に回避されることとなる。そのため、かかる形態であれば、より望ましい。
【００８１】
また、前記回転動作が規制部により規制されて、第二ビス４２が第一フック部５３に引っかかった状態が維持されている際に（すなわち、図５に示すように、スペーサー５０が第二位置に位置する際に）、スペーサー５０の一部（露出部５０ｆ）が新設縦枠２２の見付け面２２ｂ（図１及び図５参照）よりも見込み方向に突出するようになっている。
【００８２】
そのため、作業者が、当該露出部５０ｆを容易に掴むことができるので、スペーサー５０の位置を正規位置（すなわち、図４に示した第一位置）へ簡便に位置させることが可能となる。したがって、スペーサー５０の挿入作業の作業効率がより向上するというメリットが生ずる。
【００８３】
次に、第二切り欠き５４及び第三切り欠き５６について説明する。
【００８４】
第二切り欠き５４は、第一切り欠き５２と同様、その長手方向が長辺方向に沿うように、スペーサー５０に設けられている。そして、第一切り欠き５２と同様、第二切り欠き５４の長手方向における一端は、短辺まで達して開口部（第二開口部５４ａと呼ぶ）となっており、一方で、他端は、短辺まで達しておらず、行き止まり部（第二行き止まり部５４ｂと呼ぶ）となっている。すなわち、第二開口部５４ａと前述した第一開口部５２ａは、四辺のうちの同一の第一辺（つまり、第一短辺５０ａ）に設けられている。なお、第二開口部５４ａの開口幅も、第二ビス４２の直径より大きくなっている。
【００８５】
また、第二切り欠き５４は、第一切り欠き５２と同様、短辺方向において、短辺の中央ではなく中央よりも外側（長辺側）に設けられているが、当該中央を挟んで第一切り欠き５２とは逆側に位置している（すなわち、第二長辺５０ｄ側に設けられている）。つまり、第二切り欠き５４は、当該中央を通り長辺方向に平行な線を軸としたときに第一切り欠き５２と略線対称となっている。
【００８６】
また、第二切り欠き５４にもフック部（第二フック部５５と呼ぶ）が設けられている。この第二フック部５５は、第二切り欠き５４の第二開口部５４ａに備えられている。より具体的には、第二フック部５５は、第二開口部５４ａの二つの端、すなわち、第一短辺５０ａの端部寄りの端５４ｃ及び第一短辺５０ａの中央寄りの端５４ｄ、のうちの前者の端に設けられている。したがって、第二開口部５４ａから遠い方の第一開口部５２ａの端と、第一開口部５２ａから遠い方の第二開口部５４ａの端に、第一切り欠き５２と第二切り欠き５４の第一フック部５３及び第二フック部５５がそれぞれ備えられていることになる。また、第二フック部５５も、第一フック部５３と同様、第二切り欠き５４の内部へ突き出た突起部５５ａを有している。
【００８７】
なお、第一切り欠き５２の第一行き止まり部５２ｂは、長辺方向において、長辺の略中央に位置していたが、第二切り欠き５４の第二行き止まり部５４ｂは、長辺方向において、長辺の中央を越えた位置まで至っている。つまり、第一切り欠き５２の長辺方向における長さは、第二切り欠き５４の長辺方向における長さよりも短くなっている。これは、後述する第三切り欠き５６のためのスペースをスペーサー５０に確保するためである。
【００８８】
第二切り欠き５４の役割は、第一切り欠き５２と同様、第二ビス４２を通す（貫通させる）ための空間の役割であるが、第一切り欠き５２に加えて上記のように構成された第二切り欠き５４をスペーサー５０に設けたため、以下のメリットが生じる。
【００８９】
すなわち、作業者が、スペーサー５０の挿入作業を行うために、スペーサー５０を掴んで新設縦枠２２と縦枠用補助枠３２の間（隙間）に近づけた際に、第一切り欠き５２が第二切り欠き５４よりも上方に位置していれば第二ビス４２が第一切り欠き５２へ入るようにスペーサー５０を挿入すればよいし、第一切り欠き５２が第二切り欠き５４よりも下方に位置していれば第二ビス４２が第二切り欠き５４へ入るようにスペーサー５０を挿入すればよいことになる。
【００９０】
つまり、第一切り欠き５２しか設けられていない場合には、作業者が、スペーサー５０を掴んで新設縦枠２２と縦枠用補助枠３２の隙間に近づけた際に、逆であることに気付き、スペーサー５０を反転させるためにスペーサー５０を持ち替えなければならない状況が生じ得るが、第二切り欠き５４が設けられているため、このような状況が生じなくなる。したがって、スペーサーの挿入作業の作業効率がより向上する。
【００９１】
第三切り欠き５６は、第一切り欠き５２や第二切り欠き５４とは異なり、その長手方向が短辺方向に沿うように、スペーサー５０に設けられている。そして、第三切り欠き５６の長手方向における一端は、長辺まで達して開口部（第三開口部５６ａと呼ぶ）となっており、一方で、他端は、長辺まで達しておらず、行き止まり部（第三行き止まり部５６ｂと呼ぶ）となっている。すなわち、第三開口部５６ａは、四辺のうちの第一長辺５０ｃ（二つの長辺のうちの第二切り欠き５４よりも第一切り欠き５２に近い長辺）に設けられている。なお、第三開口部５６ａの開口幅も、第二ビス４２の直径より大きくなっている。
【００９２】
また、第三切り欠き５６は、長辺方向において、長辺の中央よりも外側（第二短辺５０ｂ側）に設けられている。なお、第三切り欠き５６には、第一切り欠き５２及び第二切り欠き５４とは異なり、フック部が設けられていない。また、第三切り欠き５６の第三行き止まり部５６ｂは、短辺方向において、短辺の略中央に位置している。
【００９３】
第三切り欠き５６の役割は、第一切り欠き５２及び第二切り欠き５４と同様、第二ビス４２を通す（貫通させる）ための空間の役割であるが、第一切り欠き５２や第二切り欠き５４に加えて上記のように構成された第三切り欠き５６をスペーサー５０に設けたため、以下のメリットが生じる。
【００９４】
すなわち、第三切り欠き５６の第三開口部５６ａには、第二ビス４２を引っかけるためのフック部が備えられていない。そのため、スペーサー５０を、フック部が必要ない他の枠に対しても用いることができる。すなわち、一つのスペーサー５０を、フック部が必要な枠とフック部が必要ない枠の双方に用いることができる。
【００９５】
なお、フック部が必要ない枠としては、例えば、上述した新設上枠２６を挙げることができる。すなわち、新設上枠２６と既設上枠７６との間（具体的には、新設上枠２６と上枠用補助枠３６との間に形成された隙間）にスペーサー５０が挿入される際には、スペーサー５０の面外方向（換言すれば、法線方向）が上下方向に沿うように挿入される。そのため、第二ビス４２が切りかかれた箇所を貫通した状態でスペーサー５０が設置され、当該切りかかれた箇所の開口部に仮にフック部があったとしても、当該フック部に第二ビス４２が引っかかることはない。したがって、スペーサー５０の挿入中に第二ビス４２が開口部をスムーズに通過することも考慮して、本実施の形態においては、第三開口部５６ａにフック部がない第三切り欠き５６を第二ビス４２が貫通するようにスペーサー５０が挿入されるようになっている。
【００９６】
また、第三切り欠き５６の長手方向は、四辺のうちの第一辺（本実施の形態においては、短辺）の短辺方向に沿っている一方で、第一切り欠き５２（第二切り欠き５４）の長手方向は、第一辺と直交する第二辺（本実施の形態においては長辺）の長辺方向に沿っている。
【００９７】
そのため、一つのスペーサー５０を幅が異なる複数種類の枠に対して用いることができる。本実施の形態においては、第三切り欠き５６の長手方向におけるスペーサー５０の幅（つまり、短辺の長さ）の方が、第一切り欠き５２（第二切り欠き５４）の長手方向におけるスペーサー５０の幅（つまり、長辺の長さ）よりも小さい。そのため、新設縦枠２２だけでなく、当該新設縦枠２２よりも幅が小さい枠に対しても、当該スペーサー５０を用いることができる。
【００９８】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００９９】
上記実施の形態においては、建具ユニットとして改装用新設建具ユニット１０を例に挙げて説明したが、これに限定されるものではなく、新築用の新設建具ユニットにも本発明を適用することができる。
【０１００】
例えば、建物に形成された開口の内側に設けられる枠体と、長手方向が枠体から建物側に向かう方向に沿うように、枠体に取り付けられる固定具の一例としての第二ビス４２と、第二ビス４２を貫通させるための切り欠きの一例としての第一切り欠き５２を備え、開口の内面と枠体との隙間に挿入されるスペーサー５０と、を有する新築用の新設建具ユニットにおいて、スペーサー５０は、第二ビス４２を引っかけるための第一フック部５３を、第一切り欠き５２の第一開口部５２ａに備えており、第二ビス４２が第一フック部５３に引っかかった状態でスペーサー５０が第二ビス４２を中心に回転するスペーサー５０の回転動作を規制することにより、スペーサー５０の前記状態を維持させる規制部が、前記隙間に設けられていることとしてもよい。
【０１０１】
かかる新築用の新設建具ユニットにおいても、作業者が、スペーサー５０の挿入作業を行う際に、スペーサー５０を落下させてしまうことが適切に回避されることとなる。そのため、当該挿入作業の作業効率が向上する。
【０１０２】
また、上記実施の形態においては、既設縦枠７２に取り付けられる縦枠用補助枠３２を有し、新設縦枠２２と縦枠用補助枠３２との間に隙間が設けられた状態で、新設縦枠２２は、縦枠用補助枠３２に対し、第二ビス４２で固定されており、スペーサー５０は、前記隙間に挿入されることとした。しかしながら、これに限定されるものではない。
【０１０３】
例えば、縦枠用補助枠３２は存在せず、新設縦枠２２と既設縦枠７２との間に隙間が設けられた状態で、新設縦枠２２は、既設縦枠７２に対し、第二ビス４２で固定されており、スペーサー５０は、前記隙間に挿入されることとしてもよい。
【０１０４】
新設縦枠２２と既設縦枠７２との間に設けられた隙間にスペーサー５０が挿入される際には、経年劣化に起因した凸凹（平滑度合いに難がある面）が既設縦枠７２に生じている場合があるため、スペーサー５０がスムーズに挿入できない事態が生じ得る。
【０１０５】
これに対し、新設の（つまり、凸凹がない）縦枠用補助枠３２を導入し、新設縦枠２２と当該縦枠用補助枠３２との間に設けられた隙間にスペーサー５０を挿入するようにすれば、スペーサー５０をスムーズに挿入できる効果が、前述した効果（すなわち、スペーサー５０を落下させてしまうことが適切に回避される効果）に加えて、奏されることとなる。そして、双方の相乗効果により、スペーサー５０の挿入作業の作業効率がより向上する。この点で、上記実施の形態の方が望ましい。
【０１０６】
また、上記実施の形態において、規制部は、新設縦枠２２から既設縦枠７２の方向へと突出し、新設縦枠２２に気密材９２を固定するための気密材固定部２２ａであり、スペーサー５０と接触することにより前記回転動作を規制することとした。すなわち、上記実施の形態においては、規制部の機能を気密材固定部２２ａに持たせることとしたが、これに限定されるものではない。例えば、当該機能を、気密材固定部２２ａとは異なる規制用の専用部材に持たせることとしてもよいし、縦枠用補助枠３２や既設縦枠７２に持たせてもよい。
【０１０７】
ただし、気密材固定部２２ａに気密材固定機能と規制機能の双方を持たせることにより、規制用の専用部材を省略することが可能となる点で、上記実施の形態の方が望ましい。
【０１０８】
また、上記実施の形態においては、第三切り欠き５６に、フック部が備えられていないこととしたが、図６に示すように、第三切り欠き５６に、フック部が備えられていることとしてもよい。
【０１０９】
すなわち、図６に示したスペーサー５０（変形例に係るスペーサー５０と呼ぶ）は、上記実施の形態と同様、四辺を有する長方形状の薄板であり、かつ、第一切り欠き５２や第二切り欠き５４とは異なる第三切り欠き５６を備え、第三切り欠き５６の長手方向は、四辺のうちの第一辺（短辺）の短辺方向に沿っている一方で、第一切り欠き５２（第二切り欠き５４）の長手方向は、第一辺と直交する第二辺（長辺）の長辺方向に沿っている。しかしながら、上記実施の形態とは異なり、第三切り欠き５６の第三開口部５６ａには、第二ビス４２を引っかけるための第三フック部１０２が備えられている。
【０１１０】
そして、変形例によれば、一つのスペーサー５０を、フック部が必要であり、かつ、幅が異なる複数種類の枠に対して、用いることができる。例えば、複数種類の互いに仕様が異なる新設縦枠２２に対して、一つのスペーサー５０を使用することができる。
【０１１１】
また、上記実施の形態においては、スペーサー５０が、図５に示した第二位置に位置した際には、作業者は、スペーサー５０の位置を正規位置（図４に示した第一位置）に位置させることとしたが、これに限定されるものではなく、位置を修正することなく、スペーサー５０が第二位置に位置したままとしてもよい。
【０１１２】
さらに、上記実施の形態においては、図４に示した第一位置をスペーサー５０の正規位置としたが、これに限定されるものではなく、図５に示した第二位置をスペーサー５０の正規位置としてもよい。つまり、最初からスペーサー５０の位置が第二位置となるように挿入作業を行うようにしてもよい。
【０１１３】
そして、これらの場合であっても、前述した効果、すなわち、スペーサー５０を落下させてしまうことが適切に回避され挿入作業の作業効率が向上する効果が、奏されることとなる。
【０１１４】
なお、上述したとおり、スペーサー５０を見えなくする役割を果たすカバー材６８が新設枠体２０と既設枠体７０との間の隙間をカバーしている。そのため、スペーサー５０の位置が第二位置であったとしても、見栄え上の問題は存在しない。
【０１１５】
また、上記実施の形態に係るスペーサー５０は、一枚一枚が独立しているが、図７に示すように、一枚ずつ剥がして使用する形態の複数枚セットのスペーサー５０（複数枚のスペーサー５０が予め端部で接着されているもの）であってもよい。また、複数種類の厚みを有するスペーサー５０が予め用意されており（例えば、厚さ１ｍｍのスペーサー５０と厚さ３ｍｍのスペーサー５０）、これらを使い分けるようにしてもよい。
【符号の説明】
【０１１６】
１０  改装用新設建具ユニット、２０  新設枠体
２２  新設縦枠、２２ａ  気密材固定部、２２ｂ  見付け面
３０  新設補助枠、３２  縦枠用補助枠
４２  第二ビス、４２ａ  上端
５０  スペーサー、５０ａ  第一短辺、５０ｂ  第二短辺
５０ｃ  第一長辺、５０ｄ  第二長辺、５０ｆ  露出部
５２  第一切り欠き、５２ａ  第一開口部
５３  第一フック部、５３ａ  突起部、５３ｂ  先端
５４  第二切り欠き、５４ａ  第二開口部、５５  第二フック部
５６  第三切り欠き、５６ａ  第三開口部
７０  既設枠体、７２  既設縦枠
９２  気密材、１０２  第三フック部
【図１】
2015145570.tif 000003
【図２】
2015145570.tif 000004
【図３】
2015145570.tif 000005
【図４】
2015145570.tif 000006
【図５】
2015145570.tif 000007
【図６】
2015145570.tif 000008
【図７】
2015145570.tif 000009